(57)【要約】【課題】簡易な構造で利便性の高い下横枠の排水構造を有する開口部装置を提供する。【解決手段】建物開口部の４辺に沿って設けられ、２本の縦枠４０、５０と上横枠６０と下横枠７０とを枠状に組み合わせることにより形成される枠体２、及び枠体内に配置される引戸式の障子１０、２０、及び網戸３０を備える開口部装置１であって、下横枠は、網戸を載置する網戸レール７７と、障子を載置する障子レール７９、８０と、網戸レールと障子レールとを連結し網戸レールと障子レールとを連結する片７８とを有し、片には該片の厚さ方向に貫通する幅１．５ｍｍ以下のスリット８１、８１、…が設けられていることを特徴とする。【選択図】図５
2010070918.tif 000002
【特許請求の範囲】
【請求項１】
建物開口部の４辺に沿って設けられ、２本の縦枠と上横枠と下横枠とを枠状に組み合わせることにより形成される枠体、及び前記枠体内に配置される引戸式の障子、及び網戸を備える開口部装置であって、
前記下横枠は、前記網戸を載置する網戸レールと、
前記障子を載置する障子レールと、
前記網戸レールと前記障子レールとを連結する片とを有し、
前記片には該片の厚さ方向に貫通する幅１．５ｍｍ以下のスリットが設けられていることを特徴とする開口部装置。
【請求項２】
前記スリットが、該スリットの幅方向に複数並列されていることを特徴とする請求項１に記載の開口部装置。
【請求項３】
前記スリットの開口面積の合計が３０ｍｍ２〜３３０ｍｍ２であることを特徴とする請求項１又は２に記載の開口部装置。
【発明の詳細な説明】
【技術分野】
【０００１】
本発明は、建物開口部に備えられる網戸を有する開口部装置に関し、詳しくは、下横枠における網戸レールと障子レールとの間に簡易な排水構造を有する開口部装置に関する。
【背景技術】
【０００２】
住宅等の建物開口部に配置される引戸式の開口部装置は、開口部の縁に沿って配置される枠体と、該枠体内に具備されて引戸式に開閉する障子と、同様に枠体内に配置されて引戸式に移動する網戸とを備えている。このとき、障子、及び網戸はその下端部に戸車を有し、該戸車が枠体の下枠に立設されたレール上に載置され、レール上を転動して円滑な開閉ができるように構成されている。
【０００３】
従来において枠体の下枠は、レール間に流れ込んだ雨水や結露水を適切に室外側に排水するために全体として見込方向（開口部装置が建物に配置されたときの室内外方向）室外側に向けて低くなるように傾斜が設けられている。従って、最も室外側に配置される網戸のレールは特に低く形成されていた。また、網戸レールの両端部を切り欠いて排水孔とすることも行われていた（特許文献１の図２等参照。）。
【特許文献１】特開平９−１３７９６号公報
【発明の開示】
【発明が解決しようとする課題】
【０００４】
しかしながら、近年におけるバリアフリー構造の要請により、各レールの上端位置を同じに構成する必要が生じており、下枠に傾斜を設けることができないことも多くなってきた。また、バリアフリー構造に限らず、網戸レールを切り欠いた排水孔は開口部装置の外観に影響を与え、端面が露出するという問題もあった。
【０００５】
そこで本発明は、簡易な構造で利便性の高い下横枠の排水構造を有する開口部装置を提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１に記載の発明は、建物開口部の４辺に沿って設けられ、２本の縦枠（４０、５０）と上横枠（６０）と下横枠（７０）とを枠状に組み合わせることにより形成される枠体（２）、及び枠体内に配置される引戸式の障子（１０、２０）、及び網戸（３０）を備える開口部装置（１）であって、下横枠は、網戸を載置する網戸レール（７７）と、障子を載置する障子レール（７９、８０）と、網戸レールと障子レールとを連結し網戸レールと障子レールとを連結する片（７８）とを有し、片には該片の厚さ方向に貫通する幅１．５ｍｍ以下のスリット（８１、８１、…）が設けられていることを特徴とする開口部装置を提供することにより前記課題を解決する。
【０００８】
請求項２に記載の発明は、請求項１に記載の開口部装置（１）のスリット（８１、８１、…）が、該スリットの幅方向に複数並列されていることを特徴とする。
【０００９】
請求項３に記載の発明は、請求項１又は２に記載の開口部装置（１）のスリット（８１、８１、…）の開口面積の合計が３０ｍｍ２〜３３０ｍｍ２であることを特徴とする。
【発明の効果】
【００１０】
本発明によれば、簡易な構造で利便性の高い下横枠の排水構造を有する開口部装置を提供することができる。
【００１１】
本発明のこのような作用及び利得は、次に説明する発明を実施するための最良の形態から明らかにされる。
【発明を実施するための最良の形態】
【００１２】
以下本発明を図面に示す実施形態に基づき説明する。ただし本発明は当該実施形態に限定されるものではない。また、以下の説明で、「見付方向」、「見込方向」を用いることがあるが、「見付方向」とは全体として平板状である開口部装置の平板面に沿った方向を意味し、「見付方向内側」が開口部装置の中央に近付く方向、「見付方向外側」がこれとは反対の方向を意味する。「見込方向」は、全体として平板状である開口部装置の厚さ方向を意味するものである。
【００１３】
図１は１つの実施形態に係る開口部装置１を模式的に示した正面図である。図２は開口部装置１の水平断面図、図３は同垂直断面図である。図１は、開口部装置１が建物に取り付けられたときに室外視となる側からの正面図である。図２は、開口部装置１が建物に取り付けられたときに室外側となる側が紙面下、室内側となる側が紙面上となる方向で表されている。図３は開口部装置１が建物に取り付けられたときに室外側となる側が紙面左、室内側となる側が紙面右となる方向で表されている。以下、図１〜図３及び適宜示す図を参照しつつ開口部装置１について説明する。
【００１４】
開口部装置１は、いわゆる引戸式の開口部装置であり、建物開口部の４辺の縁に沿って備えられる枠体２と、該枠体２の内側に配置される外障子１０と、内障子２０と、網戸３０とを備えている。
【００１５】
枠体２は、建物開口部の４辺に沿って設けられる長尺の型材である縦枠４０、５０、上横枠６０、及び下横枠７０が枠状に組み合わされて形成されている。縦枠４０、５０の断面形状は図２に、上横枠６０、下横枠７０の断面形状は図３に表されている。また、図４には、図３のうち下横枠７０に注目した図を示した。
【００１６】
縦枠４０、５０は図２に示した断面において見込方向（図２の紙面上下方向）に延在する片４１、５１を有し、該片４１、５１の見付方向内側面から立設する係止片４２、５２を備えている。係止片４２、５２は、外障子１０、内障子２０の閉鎖の姿勢で、戸先框１２、２２に差し込まれて水密気密を図るための部材である。また、片４１、５１の見込方向室外側の端部には、見付方向に延在する網戸係止片４４、５４が設けられている。網戸係止片４４、５４は、網戸３０がいずれかの縦枠４０、５０に寄せられた姿勢で、その縦框３２、３３に差し込まれるように配置され、ここから害虫が侵入することを防ぐ。さらに、片４１、５１の見付方向外側面には、該片４１、５１に立設された取付片４３、５３が設けられ、これにより縦枠４０、５０を建物躯体に取り付ける。
【００１７】
上横枠６０は建物開口部の上縁に沿って配置される枠材で、図３に示した断面において見込方向に延在する片６１を有し、該片６１の見付方向内側面から垂下する並列された３つのガイド６２、６３、６４を備えている。ガイド６３、６４は外障子１０、内障子２０の上横框１４、２４の内側にまで差し込まれるように配置され、外障子１０、内障子２０の引戸式の移動をガイドすることができる。ガイド６２は、網戸３０の上横框３４の内側にまで差し込まれるように配置され、網戸３０の引戸式の移動をガイドすることができる。さらに、片６１の見付方向外側面には、該片６１に立設された取付片６５が設けられ、これにより上横枠６０を建物躯体に取り付ける。
【００１８】
下横枠７０は建物開口部の下縁に沿って配置される枠材である。図４には、図３に示した断面図のうち下横枠７０に注目した図を示した。また、図５には下横枠７０の斜視図で、後述するスリット８１、８１、…が設けられた部位に注目した図を示した。図６は図４にＡで示した方向（見下ろす方向）から下横枠７０を見た図で、スリット８１、８１、…が設けられた部位に注目した図である。図７も図４にＡで示した方向から下横枠７０を見た図であるが、これは下横枠７０の長手方向別の部位であり、フタ材９０に貫通孔９１ａ、９１ａ、９１ａが設けられている部位である。図８は、図４にＢで示した方向（室外側）から下横枠７０を見た図で、排水弁８８、８９が配置された部分の図である。さらには図９には下横枠７０に備えられるフタ材９０の斜視図を示した。図３〜図９を参照しつつ下横枠７０について説明する。
【００１９】
図４からわかるように、下横枠７０は見付方向内外に並列する中空部Ｃ、及び中空部Ｄを備えている。
中空部Ｃは、片７１、７２、７３及び着脱可能な片としてのフタ材９０で囲まれて形成されている。片７１は数か所において折り曲げられて段状となっているが全体として見込方向に延在する片で、中空部Ｃの底面を形成している。また、図４、図７からわかるように、片７１には所定の間隔を有して貫通孔７１ａ、７１ａが設けられている。ここで貫通孔７１ａ、７１ａの径は特に限定されるものではなく、適切な排水性を得ることができれば適宜設定することができる。また本実施形態では貫通孔７１ａ、７１ａは２つであるが、貫通孔の数もこれに限定されることなく、上記径との関係で多く設定してもよいし、１つであってもよい。
【００２０】
片７２は片７１の見付方向内側面に立設する片である。図４、図８からわかるように片７２には、排水弁８８が取り付けられている。図４、図８では１つの排水弁８８のみが記載されているが、下横枠７０の長手方向左右に所定の間隔を有して当該排水弁８８が並列されている。排水弁８８はいわゆる一方弁であり、中空部Ｃ側から室外側（図４の紙面左側）へは排水することができるが、逆はできない弁である。これにより室外側からの水や害虫の侵入を防止することができる。また、片７２の先端部には見込方向室内側（図４の右側）に突出する係合突起７２ａが設けられている。
【００２１】
片７３は片７１の見付方向内側面で、片７２よりも見込方向室内側に立設された片である。片７３の上端は該上端のみ若干大きく形成され被係合部７３ａとされている。
【００２２】
フタ材９０は、片７２と片７３とを渡すように着脱可能に設けられた片としての部材である。具体的にはフタ材９０は、図４、図９からわかるように所定の断面を有して長手方向に延在する長尺部材であり、基板９１、係合片９２、９３を備えている。基板９１は一部屈折して形成されているが、全体として板状の部材であり、長手方向に所定の間隔を有して貫通孔９１ａ、９１ａ、９１ａが設けられている。ここで貫通孔９１ａ、９１ａ、９１ａの径は特に限定されるものではなく、適切な排水性を得ることができれば適宜設定することができる。また本実施形態では貫通孔９１ａ、９１ａ、９１ａは３つであるが、貫通孔の数もこれに限定されることなく、上記径との関係で多く設定してもよいし、２つ、又は１つであってもよい。
【００２３】
係合片９２は、基板９１の幅方向（図４の紙面左右方向）一端側で一方の面側に配置される断面形状Ｌ字状の片で、基板９１の端部とによりコ字状を形成している。一方、係合片９３は、基板９１の幅方向他端側が折り返されるように設けられている。
【００２４】
このように形成されたフタ材９０は、係合片９２と、基板９１端部とにより形成されたコ字状部に片７２の係合突起７２ａが差し込まれ、一方、係合片９３の折り返しが片７３の被係合部７３ａに係合することにより装着される。また、これを離脱させることによりフタ材９０を取り外すことができる。
【００２５】
中空部Ｄは、片７１、７４、７５及び片７６で囲まれて形成されている。片７１は上記した中空部Ｃと共通の片であり、貫通孔７１ａ、７１ａにより、中空部Ｃと中空部Ｄとは連通している。
【００２６】
片７４は片７１の見込方向室外側端部から垂下するように設けられた片である。図４、図８からわかるように片７４には、排水弁８９が取り付けられている。図４、図８では１つの排水弁８９のみが記載されているが、下横枠７０の長手方向左右に所定の間隔を有して当該排水弁８９が並列されている。排水弁８９はいわゆる一方弁であり、中空部Ｄ側から室外側（図４の紙面左側）へは排水することができるが、逆はできない弁である。これにより室外側からの水や害虫の侵入を防止することができる。
【００２７】
片７５は片７１の見込方向室内側端部から垂下するように設けられた片である。また、片７６は、片７４と片７５とを渡すように設けられている。
【００２８】
さらに下横枠７０は、中空部Ｃの見込方向室外側で見付方向内側である角部から見込方向室外側に延在する片７８、及び該片７８の室外側端部から立設する網戸レール７７を備えている。網戸レール７７には、後述するように網戸３０の戸車３６がこの上を転動するように載置される。
【００２９】
ここで、片７８には図４〜図６からわかるように、該片７８を貫通するスリットであるスリット８１、８１、…が設けられている。スリット８１、８１、…は、下横枠７０の長手方向に長く形成されたスリットで、図６にＥで示したスリット幅は、１．５ｍｍ以下である。これにより室外側から室内側に害虫が侵入することを防止することができる。
【００３０】
その他、スリット８１、８１、…の図６にＦで示した長さ、Ｇで示した見込方向ピッチ、Ｈで示した見付方向ピッチ、及び数は、必要とされる排水量を得るための開口面積により設定される。当該開口面積は、３０ｍｍ２〜３３０ｍｍ２であることが好ましく、本実施形態ではＦは２５ｍｍ、Ｇは４．５ｍｍ、Ｈは４０ｍｍ、数は６とした。具体的にどのように排水が行われるかについては後で詳しく説明する。
【００３１】
上記スリット８１、８１、…の形成方法は特に限定されるものではなく、切削加工や打ち抜き加工を挙げることができる。その中でも製造コストを低減することができる観点から打ち抜加工による形成が好ましい。ただし、幅１．５ｍｍ以下のスリットを打ち抜くような打ち抜き加工は困難である場合が多く、本実施形態ではかかる加工性の観点からも上記各Ｆ、Ｇ、Ｈ、及び数を設定している。
【００３２】
また、このように室外視からは見えない部位に排水孔を設けることができるので、例えば従来において網戸レールを切り欠いた排水孔に比べて、開口部装置の外観を良好なものとすることもできる。
【００３３】
さらに下横枠７０は、中空部Ｃの片７２を見付方向内側に延長する方向に障子レール７９、及び片７１の見込方向室内側端部から見付方向内側に立設するように障子レール８０を備えている。障子レール７９、８０は後述するように外障子１０、内障子２０の戸車１６、２６がこの上を転動するように載置される。従って、障子レール７９と障子レール８０との間の底部に中空部Ｃ、さらにその下に中空部Ｄが配置される。
【００３４】
また、図７にＸで示した距離、すなわちフタ材９０の貫通孔９１ａと片７１の貫通孔７１ａとの距離は特に限定されるものではなく、適宜設定することができる。しかしその中でも後述するように、貫通孔９１ａ、９１ａ、９１ａを通って片７１上面に到達した水が該片７１を伝って貫通孔７１ａ、７１ａから落下する経過を考慮すれば、片７１上で水に含まれる比較的大きなゴミ、異物等を片７１の面で留めるため、Ｘは０より大きいことが好ましい。
【００３５】
本実施形態では、特に図４からわかるように網戸レール７７、障子レール７９、及び障子レール８０の見付方向内側位置が同じ位置となっている。すなわち本実施形態ではいわゆるバリアフリー構造の下横枠７０である。本発明は必ずしもこのようなバリアフリー構造であることに限定されるものではない。ただし、バリアフリー構造により、網戸レールが高くなることによって水が溜まり易いとの観点から、バリアフリー構造において本発明の効果はより顕著である。
【００３６】
図１〜図３に戻り開口部装置１に備えられる他の構成について説明する。外障子１０は、ガラスにより形成された面材であるガラスパネル１１、戸先框１２、外召し合わせ框１３、上横框１４、及び下横框１５を備えている。ここで外障子１０は枠体２の内側を見付方向に引戸式に移動させることができるいわゆる引戸である。本実施形態のガラスパネル１１は、図２、図３に表れているように、複層ガラスであり２枚の平行に配置されたガラス面材が備えられている。
【００３７】
戸先框１２はガラスパネル１１の４辺のうち戸先側に配置される辺に沿って具備される縦框であり、図２に示したような所定の断面を有して長手方向（図２の紙面奥／手前方向）に延在する。また、外召し合わせ框１３は、ガラスパネル１１の戸先と対向する縦縁の１つに沿って設けられ、召し合わせ部分となる縦框であり、やはり図２に示したような所定の断面を有して長手方向（図２の紙面奥／手前方向）に延在する。
【００３８】
上横框１４はガラスパネル１１の上縁に沿って配置される框、下横框１５はガラスパネル１１の下縁に沿って配置される框である。上横框１４、及び下横框１５も図３に示した所定の断面を有して長手方向（図３の紙面奥／手前方向）に延在する。ここで、上横框１４は上方に開口した凹部を備え、下横框１５は内側に戸車１６を具備している。これにより、外障子１０は引戸式の可動障子として、スライド可能に枠体２内側を移動することができる。
【００３９】
内障子２０は、ガラスパネル２１、戸先框２２、内召し合わせ框２３、上横框２４、及び下横框２５を有している。ここで内障子２０は枠体２の内側を見付方向に引戸式に移動させることができるいわゆる引戸である。ガラスパネル２１は、図２、図３に表れているように、複層ガラスであり２枚の平行に配置されたガラス面材が備えられている。戸先框２２はガラスパネル２１の戸先側縁に沿って配置される長尺部材で、図２に示した断面を有している。内召し合わせ框２３は、ガラスパネル２１の戸先と対向する縦縁に沿って設けられ、召し合わせ部分となる縦框である。上横框２４、及び下横框２５はガラスパネル２１の上下縁のそれぞれに沿って配置される長尺の型材である。ここで、上横框２４は上方に開口した凹部を備え、下横框２５は内側に戸車２６を具備している。これにより、内障子２０は引戸式の可動障子として、スライド可能に枠体２内側を移動することができる。
【００４０】
網戸３０は、網材３１、縦框３２、３３、上横框３４、及び下横框３５を有している。ここで網戸３０は枠体２の内側を見付方向に引戸式に移動させることができるいわゆる引戸である。網材３１は、図１〜図３に表れているように、網状の面材である。縦框３２、３３は、図２に示した断面を有する長尺部材である。上横框３４、及び下横框３５は網材３１の上下縁のそれぞれに沿って配置される長尺の型材である。ここで、上横框３４は上方に開口した凹部を備え、下横框３５は内側に戸車３６を具備している。これにより、網戸３０は引戸式の可動障子として、スライド可能に枠体２内側を移動することができる。
【００４１】
さらに開口部装置１には通常の開口部装置に備えられる部材を備えてもよい。これには例えば施錠装置を挙げることができる。また、上記した縦枠４０、５０、上横枠６０、下横枠７０、戸先框１２、２２、外召し合わせ框１３、内召し合わせ框２３、上横框１４、２４、下横框１５、２５、縦框３２、３３、上横框３４、下横框３５の断面形状は本発明の要旨を変更するものでなければ、変更することができ建物等に合わせて適宜その詳細を決めることができる。
【００４２】
以上のような各構成は例えば次のよう組み合わされて開口部装置１とされる。すなわち外障子１０の枠体２への取り付けは、図３からわかるように上横框１４の凹部の内側に上横枠６０のガイド６３を挿入する。そして下横框１５の戸車１６を下横枠７０の障子レール７９に乗せるように配置する。これにより外障子１０は枠体２内を引戸式に移動することができるようになる。
【００４３】
一方、内障子２０の枠体２への取り付けは、図３からわかるように上横框２４の凹部の内側に上横枠６０のガイド６４を挿入する。そして下横框２５の戸車２６を下横枠７０の障子レール８０に乗せるように配置する。これにより内障子２０は枠体２内を引戸式に移動することができるようになる。
【００４４】
一方、網戸３０の枠体２への取り付けは、図３からわかるように上横框３４の凹部の内側に上横枠６０のガイド６２を挿入する。そして下横框３５の戸車３６を下横枠７０の網戸レール７７に乗せるように配置する。これにより網戸３０は枠体２内を引戸式に移動することができるようになる。
【００４５】
以上のような開口部装置１が建物開口部に備えられたときに、雨水や結露水は以下に説明するように適切に室外に排出される。図１０を参照しつつ、網戸３０の網戸レール７７部分における排水経路について説明する。網戸レール７７と障子レール７９との間で、片７８上に達した雨水や結露水等の水は、図１０の矢印Ｊで示したようにスリット８１、８１、…を通り片７１の上面に落下する。そして当該水は片７１の上面をさらに室外側に図１０に矢印Ｋで示したように移動して屋外に排出される。このように、簡易な構成で害虫の侵入を防止しつつ、適切にこの部分の排水をすることができる。
【００４６】
次に図７、及び図１１を参照しつつ、障子レール７９と障子レール８０との間における排水経路について説明する。障子レール７９と障子レール８０との間に達した雨水や結露水等の水は、図１１の矢印Ｌで示したようにフタ材９０の貫通孔９１ａ、９１ａ、９１ａを通り片７１の上面に落下する。そしてその大部分は図１１に矢印Ｍで示したように排水弁８８から屋外に排出される。排水弁８８で排水されなかった水は、図７に矢印Ｎで示したように片７１の上面を伝わって貫通孔７１ａ、７１ａに達する。このとき、片７１の面との摩擦により該片７１表面に水に含まれるゴミ等を留めておくことができ、貫通孔７１ａ、７１ａに達する水は大きなゴミ等をほとんど含まないものとなっている。
【００４７】
そして、貫通孔７１ａ、７１ａに達した水は図１１に矢印Ｐで示したように該貫通孔７１ａ、７１ａを貫通して中空部Ｄに達し、矢印Ｑで示したように排水弁８９から排水される。
【００４８】
ここで、雨水や結露水に含まれ、及び開口部装置に付着しこれら水により流されてきたゴミや異物等のうち比較的大きなものは中空部Ｃに堆積する。開口部装置１では、中空部Ｃの上部に配置されているフタ材９０を下横枠７０から取り外すことができるので、堆積したゴミや異物等を容易に除去することができる。これにより容易に適切な排水を確保することができ、排水性の確保に優れる開口部装置を提供することが可能となる。
【００４９】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００５０】
【図１】１つの実施形態に係る開口部装置の正面図である。
【図２】開口部装置の水平断面図である。
【図３】開口部装置の垂直断面図である。
【図４】開口部装置の垂直断面図のうち下横枠に注目して示した図である。
【図５】下横枠の斜視図である。
【図６】図４にＡで示した矢印の方向から見た図である。
【図７】図４にＡで示した矢印の方向から見た他の図である。
【図８】図４にＢで示した矢印の方向から見た図である。
【図９】フタ材の斜視図である。
【図１０】排水経路を説明するための図である。
【図１１】排水経路を説明するための他の図である。
【符号の説明】
【００５１】
１  開口部装置
２  枠体
１０  外障子
１１  ガラスパネル
１２  戸先框
１３  外召し合わせ框
１４  上横框
１５  下横框
１６  戸車
２０  内障子
２１  ガラスパネル
２２  戸先框
２３  内召し合わせ框
２４  上横框
２５  下横框
２６  戸車
３０  網戸
３１  網材
３２、３３  縦框
３４  上横框
３５  下横框
３６  戸車
４０、５０  縦枠
６０  上横枠
７０  下横枠
７７  網戸レール
７８  片
７９  障子レール
８０  障子レール
８１  スリット
９０  フタ材
【図１】
2010070918.tif 000003
【図２】
2010070918.tif 000004
【図３】
2010070918.tif 000005
【図４】
2010070918.tif 000006
【図５】
2010070918.tif 000007
【図６】
2010070918.tif 000008
【図７】
2010070918.tif 000009
【図８】
2010070918.tif 000010
【図９】
2010070918.tif 000011
【図１０】
2010070918.tif 000012
【図１１】
2010070918.tif 000013